(57)【特許請求の範囲】
【請求項１】
画像の形成された走査対象物が載置される載置板と、
該載置板に沿って所定方向に移動する、前記走査対象物に形成された画像を読み取る読取手段と、
該読取手段を保持する保持部材と、
該保持部材を前記載置板に向けて付勢する付勢手段と、
前記載置板に接触して前記読取手段と前記載置板とを所定間隔に保つ、前記保持部材に固定されたスペーサ部材とを備え、
前記読取手段を前記所定方向に移動させながら、走査対象物に形成された画像を読み取る平面走査装置において、
前記スペーサ部材は、前記載置板に対して前記所定方向に前記読取手段の両側で線接触するものであることを特徴とする平面走査装置。
【請求項２】
前記スペーサ部材は、
略円柱形状であって、その外周面が前記載置板に線接触するものであることを特徴とする請求項１に記載の平面走査装置。
【請求項３】
前記スペーサ部材は、
前記保持部材のうち前記所定方向に直交する方向の両端部それぞれに配置されたものであることを特徴とする請求項１又は２に記載の平面走査装置。
【請求項４】
画像の形成された走査対象物が載置される載置板と、該載置板に沿って所定方向に移動する、前記走査対象物に形成された画像を読み取る読取手段と、
該読取手段を保持する保持部材と、
該保持部材を前記載置板に向けて付勢する付勢手段と、
前記載置板に接触して前記読取手段と前記載置板とを所定間隔に保つ、前記保持部材に固定されたスペーサ部材とを備え、
前記読取手段を前記所定方向に走査させながら、走査対象物に形成された画像を読み取る平面走査装置において、
前記スペーサ部材は、前記保持部材のうち前記所定方向に直交する方向の両端部それぞれに配置されたものであって、且つ、
前記両端部のうちの一端部に配置された前記スペーサ部材は、前記所定方向に交差する第１交差方向に前記載置板に線接触するものであり、
前記両端部のうちの前記一端部とは反対の側の他端部に配置された前記スペーサ部材は、前記第１交差方向に交差する第２交差方向に前記載置板に線接触するものであることを特徴とする平面走査装置。
【請求項５】
前記読取手段は、
コンタクトイメージセンサであることを特徴とする請求項１又は４に記載の平面走査装置。
【請求項６】
請求項１又は４に記載の平面走査装置を備え、
原稿に記録された画像を前記平面走査装置で読み取り、この読み取った画像を記録媒体に形成することを特徴とする画像形成装置。
【発明の詳細な説明】
【０００１】
【発明の属する技術分野】
本発明は、原稿などの走査対象物に形成された画像を読み取る平面走査装置及びこの平面走査装置を備えた画像形成装置に関する。
【０００２】
【従来の技術】
従来から、原稿に記録された画像（原稿画像）を読み取り、この読み取った原稿画像を記録紙などの記録媒体に形成する画像形成装置が使用されている。原稿画像を読み取る方式（モード）としては、いわゆる原稿固定走査モードと画像流し読み走査モードとが知られている。
【０００３】
画像流し読み走査モードでは、原稿画像を読み取る例えばコンタクトイメージセンサ（以下、ＣＩＳという。）を原稿台ガラスの下に静止しておき、この原稿台ガラスのうちＣＩＳの上の領域（画像読取領域）に原稿を通過させながらＣＩＳで原稿画像を読み取る。一方、原稿固定走査モードでは、原稿台ガラスに原稿を載置しておき、ＣＩＳを所定の主走査方向に移動させながら原稿画像を読み取る。この原稿固定走査モードで原稿画像を読み取る際には、一般に、ＣＩＳを原稿台ガラスに沿って平行に移動させる。
【０００４】
ところで、上記のＣＩＳでは、通常、焦点深度の浅いセルフォックスレンズが使用されている。このように焦点深度の浅いレンズが使用される場合、原稿とＣＩＳとの距離が変動したときはピントがボケるので、この距離は一定に保たれている必要がある。そこで、この距離を一定に保つために、ＣＩＳに連動するスペーサ部材を原稿台ガラスに点接触させて、ＣＩＳを原稿台ガラスに接近させた状態で主走査方向に移動させる技術が知られている（ＵＳＰ６００８４８５号参照）。
【０００５】
【発明が解決しようとする課題】
しかし、スペーサ部材を原稿台ガラスに点接触させた場合、スペーサ部材のうち原稿台ガラスに点接触している部分に圧力が集中してこの部分が摩耗し易い。この部分が摩耗した場合、原稿とＣＩＳとの距離が短くなって焦点がずれる。この結果、原稿画像が正確に読み取られない。
【０００６】
本発明は、上記事情に鑑み、原稿などの走査対象物とＣＣＤ素子などの読取手段とが所定間隔に正確に保たれる平面走査装置及びこの平面走査装置を備えた画像形成装置を提供することを目的とする。
【０００７】
【課題を解決するための手段】
上記目的を達成するための本発明の平面走査装置は、画像の形成された走査対象物が載置される載置板と、該載置板を挟んで前記走査対象物とは反対側に配置されて該載置板に沿って所定の主走査方向に移動する、前記走査対象物に形成された画像を読み取る読取手段と、該読取手段が固定された固定部材と、該固定部材を前記載置板に向けて付勢する付勢手段と、前記載置板に接触して前記読取手段と前記載置板とを所定間隔に保つ、前記固定部材に固定されたスペーサ部材とを備え、前記読取手段を前記主走査方向に走査させながら、走査対象物に形成された画像を読み取る平面走査装置において、
（１）前記スペーサ部材は、前記載置板に線接触するものであることを特徴とするものである。
【０００８】
ここで、前記スペーサ部材は、
（２）略円柱形状であって、その外周面が前記載置板に線接触するものであってもよい。
【０００９】
さらに、前記スペーサ部材は、
（３）前記固定部材のうち前記主走査方向に直交する直交方向の両端部それぞれに配置されたものであってもよい。
【００１０】
さらにまた、前記スペーサ部材は、
（４）前記主走査方向に交差する交差方向に延びる線で前記載置板に線接触するものであってもよい。
【００１１】
さらにまた、前記スペーサ部材は、
（５）前記主走査方向に直交する直交方向に延びる線で前記載置板に線接触するものであってもよい。
【００１２】
さらにまた、前記スペーサ部材は、
（６）前記固定部材のうち前記主走査方向に直交する直交方向の両端部それぞれに配置されたものであって、且つ、
（６−１）前記両端部のうちの一端部に配置された前記スペーサ部材は、
（６―２）前記主走査方向に交差する第１交差方向に延びる線で前記載置板に線接触するものであり、
（６―３）前記両端部のうちの前記一端部とは反対の側の他端部に配置された前記スペーサ部材は、
（６―４）前記第１交差方向に交差する第２交差方向に延びる線で前記載置板に線接触するものであってもよい。
【００１３】
さらにまた、前記読取手段は、
（７）コンタクトイメージセンサであってもよい。
【００１４】
また、上記目的を達成するための本発明の画像形成装置は、
（８）上記した平面走査装置を備え、
（９）原稿に記録された画像を前記平面走査装置で読み取り、この読み取った画像を記録媒体に形成することを特徴とするものである。
【００１５】
【発明の実施の形態】
図１から図３までを参照して本発明の実施形態を説明する。
【００１６】
図１は、本発明の平面走査装置を備えた画像形成装置の内部構造を示す模式図である。図２は、第１筐体を示す拡大図である。図３は、原稿圧着板を開いた第１筐体を示す側面図である。
【００１７】
デジタル複写機５０（本発明にいう画像形成装置の一例である）は、原稿に記録された画像を読み取るための複数の部品が組み込まれた第１筐体６０と、画像を記録媒体に形成するための複数の部品が組み込まれた第２筐体（画像形成部）１００とを有する。第２筐体１００は、図に示すように、第１筐体６０の下に配置されている。従って、第１筐体６０は第２筐体１００に載置されていることとなる。なお、第１筐体６０は、第２筐体１００の上面に沿って矢印Ａ，Ｂ方向（副走査方向）に移動する。
【００１８】
複写機５０の頂面には開閉自在な直方体状の原稿圧着板６２が配置されている。原稿圧着板６２の下には、平面走査装置２００（図４参照）が組み込まれた光学用筐体６４が配置されている。平面走査装置２００には光源ＬＥＤ（図示せず）などが備えられている。光学用筐体６４の上面（上壁）は、原稿が載置される原稿台ガラス６１（本発明にいう載置板の一例である）である。原稿圧着板６２と光学用筐体６４によって、第１筐体６０が構成されている。なお、原稿圧着板６２を開いたときは、開閉検知レバー６５が回動することにより、原稿圧着板６２が開いたことが開閉検知センサ６８で検知される。
【００１９】
原稿台ガラス６１のうち感光ドラム１１２を挟んで定着器１２６とは反対の側の一端部には、原稿の画像が読み取られる画像読取領域８２が形成されている。また、画像読取領域８２よりもやや矢印Ｂ方向下流側には、画像読取領域８２に搬送されてきた原稿を排紙トレイ８６に案内する搬送ガイド台９５が形成されている。搬送ガイド台９５は、矢印Ａ，Ｂ方向に直交する方向に延びる細長いものである。一方、原稿台ガラス６１のうち、搬送ガイド台９５が形成された一端部とは反対側の他端部には、原稿台ガラス６１に載置される原稿が突き当てられる突当板６７が形成されている。この突当板６７は、矢印Ａ，Ｂ方向に直交する方向に延びる細長いものである。
【００２０】
原稿圧着板６２には、原稿を自動的に給紙する原稿自動搬送装置８０が組み込まれている。この原稿自動搬送装置８０については後述する。
【００２１】
第２筐体１００のうち、第１筐体６０よりも手前側（正面側）には、複写枚数などが入力される操作パネル（図示せず）が配置されている。第２筐体１００の下部には、複数枚のカット紙が収容されるカセット１０４が第２筐体１００に出し入れ自在に備えられている。第２筐体１００の右側壁には、葉書などの小サイズの記録紙を給紙できる矩形状の手差しトレイ１０６が備えられている。この手差しトレイ１０６は、下辺部１０６ａを中心にして矢印Ｃ方向に回動し、記録媒体を載置できる位置まで開く。また、第２筐体１００の左側部分には空間が形成されており、排出された記録紙が積載される排紙トレイ１０８が形成されている。
【００２２】
複写機５０で画像を形成するに際は、第１筐体６０を矢印Ｂ方向に移動させて画像形成位置（図１に示す位置）に位置させておく。複写機５０では、原稿に記録された画像を記録媒体に形成するに当り、原稿固定走査モード及び画像流し読み走査モードを選択できる。原稿固定走査モードとは、原稿台ガラス６１に原稿を載置しておき、ＣＣＤ素子２１２（本発明にいう読取手段の一例であり、図４参照）等を原稿台ガラス６１の下方で矢印Ｂ方向（副走査方向）に走査させながら原稿の画像を読み取るモードである。一方、画像流し読み走査モードとは、画像読取領域８２の下方にＣＣＤ素子２１２を静止させておき、原稿自動搬送装置８０で画像読取領域８２に原稿を搬送しながらこの原稿の画像をＣＣＤ素子２１２を用いて画像読取領域８２で読み取るモードである。
【００２３】
原稿固定走査モードを選択した場合は、先ず原稿圧着板６２を開き、原稿台ガラス６１の上面に原稿を載置して突当板６７に突き当てることにより位置決めし、この原稿を原稿圧着板６２で押さえて固定する。次に、所定の操作ボタン等を押すことにより、ＬＥＤ光源から導光体２１６（図４参照）によって導かれた光が原稿を照射すると共に、光学用筐体６４に組み込まれたＣＣＤ素子２１２が二点鎖線で示す位置から矢印Ｂ方向に走査する。このＣＣＤ素子２１２によって、原稿に記録された画像が読み取られる。読み取られた画像はデジタル信号に変換され、このデジタル信号はレーザスキャナ１１０に送信される。なお、原稿台ガラス６１は、光学用筐体６４に形成された矩形状の原稿台フレーム６３に固定されている。また、ＣＣＤ素子２１２は走査ユニット２５０と共に駆動モータ（図示せず）や駆動ベルト（図示せず）で駆動されてガイド軸２０６に案内されながら矢印Ａ，Ｂ方向（副走査方向）に移動する。
【００２４】
画像流し読み走査モードを選択した場合について説明する。
【００２５】
原稿を流し読みするために、複写機５０には原稿自動搬送装置８０が備えられている。原稿自動搬送装置８０は、原稿に記録された画像が読み取られる（原稿の画像が読み取られる）画像読取領域８２を原稿が通過するようにこの原稿を自動的に給紙するものである。画像読取領域８２は、上述したように、原稿台ガラス６１の矢印Ｂ方向上流側部分に形成されており、矢印Ｂ方向に直交する方向に延びている。また、複写機５０で画像流し読み走査モードを採用する場合は、原稿台ガラス６１を挟んで画像読取領域８２とは反対の側（原稿台ガラス６１の下側）にＣＣＤ素子２１２が静止している。
【００２６】
上記した画像読取領域８２は、原稿台ガラス６１のうち感光ドラム１１２を挟んで定着器１２６とは反対の側の一端部に形成されている。また、画像流し読み走査モードでは、画像読取領域８２の下にＣＣＤ素子２１２が静止している。
【００２７】
原稿自動搬送装置８０には、原稿が載置される原稿載置トレイ８４、画像読取領域８２を通過した原稿が載置される原稿排紙トレイ８６が形成されている。また、原稿自動搬送装置８０には、原稿載置トレイ８４に載置された原稿を、画像読取領域８２を通過させて原稿排紙トレイ８６まで搬送する複数のローラ（給紙ローラ９０やレジストローラ対９２など）が組み込まれている。
【００２８】
走査ユニット２５０は、矢印Ａ，Ｂ方向（副走査方向）に移動自在にガイド軸２０６に固定されている箱状の走査部材２５２と、走査部材２５２の上面に固定された支持板２５４とを有する。支持板２５４の上面には板金２５６が立ち上がって固定されている。板金２５６は垂直方向に延びる長孔２５６ａが形成されている。また、支持板２５４には、コイルばね２５８（本発明にいう付勢手段の一例である）の下端部が固定されている。コイルばね２５８の上端部は、ＣＣＤ素子２１２が固定された固定部材２１４（ＣＣＤ素子２１２を保持する保持部材）の底面に固定されている。従って、固定部材２１４は、コイルばね２５８によって原稿台ガラス６１に向けて（上方に）付勢されている。なお、ＣＣＤ素子２１２や固定部材２１４などは読取ユニット２１０を構成している。
【００２９】
画像読取領域８２の下方にはＣＣＤ素子２１２が静止しており、画像読取領域８２を通過する原稿は、ＬＥＤ（図示せず）に照明されてＣＣＤ素子２１２に読み取られる。読み取られた画像はデジタル信号に変換され、このデジタル信号はレーザスキャナ１１０に送信される。
【００３０】
画像読取領域８２を通過した原稿は搬送ガイド台９５によって搬送ローラ９６に案内される。搬送ローラ９６は原稿を反転させながら排紙ローラ９８まで搬送する。排紙ローラ９８に搬送された原稿は、この排紙ローラ９８によって原稿排紙トレイ８６に排出される。
【００３１】
上述したように複写機５０では、画像流し読み走査モード及び原稿固定走査モードのいずれであっても、読み取られた原稿の画像はデジタル信号に変換され、このデジタル信号はレーザスキャナ１１０に送信される。レーザスキャナ１１０に送信された信号はレーザ光に変換されて、このレーザ光は、高速で回転するスキャナミラー１１０ａ、折り返しミラー１１０ｂを経由して感光ドラム１１２に照射される。感光ドラム１１２は帯電器１１１によって一様に帯電されており、レーザ光が照射された感光ドラム１１２には静電潜像が形成される。この静電潜像は現像ローラ１１４から供給された現像剤で現像されて現像像が形成される。
【００３２】
一方、カセット１０４からは記録紙などの記録媒体が給紙ローラ１１６によって矢印Ｄ方向（給紙方向）に給紙され、搬送ローラ１１８とレジストローラ１２０によって転写器１２２に搬送される。転写器１２２では、搬送されてきた記録媒体に感光ドラム１１２の現像像が転写される。現像像が転写された記録媒体は搬送装置１２４によって定着器１２６に搬送される。定着器１２６には加熱ローラ１２６ａと加圧ローラ１２６ｂが配置されており、これら２つのローラ１２６ａ，１２６ｂに記録媒体が挟まれながら搬送されて、現像像が記録媒体に定着される。このようにして現像像が定着された記録媒体は排紙ローラ１２８によって排出されて排紙トレイ１０８に積載される。
【００３３】
なお、手差しトレイ１０６から記録媒体を給紙することもでき、手差しトレイ１０６から給紙された記録媒体に画像が形成される手順も上記と同じである。また、複写機５０には、各種部品を駆動するための電源及び電気部品が装着された電装基板１２９も内蔵されている。
【００３４】
上述したように複写機５０には種々の部品や部材が組み込まれている。これらの部品のうち、帯電器１１１、感光ドラム１１２、及び現像ローラ１１４などはプロセスカートリッジ１３０に組み込まれている。このプロセスカートリッジ１３０は複写機５０に着脱自在に装着されている。
【００３５】
図４を参照して、光学用筐体６４に組み込まれた平面走査装置２００について説明する。
【００３６】
図４は、平面走査装置を示す模式図である。
【００３７】
平面走査装置２００は、ＣＣＤ素子２１２が固定された読取ユニット２１０と、この読取ユニット２１０が取り付けられた走査ユニット２５０とを備えている。
【００３８】
走査ユニット２５０は、矢印Ａ，Ｂ方向に移動自在にガイド軸２０６に固定されている箱状の走査部材２５２と、走査部材２５２の上面に固定された支持板２５４とを有する。支持板２５４の上面には板金２５６が立ち上がって固定されている。板金２５６は垂直方向に延びる長孔２５６ａが形成されている。また、支持板２５４には、コイルばね２５８（本発明にいう付勢手段の一例である）の下端部が固定されている。コイルばね２５８の上端部は、ＣＣＤ素子２１２が固定された固定部材２１４の底面に固定されている。従って、固定部材２１４は、コイルばね２５８によって原稿台ガラス６１に向けて（上方に）付勢されている。なお、ＣＣＤ素子２１２や固定部材２１４などは読取ユニット２１０を構成している。
【００３９】
固定部材２１４には、上記の長孔２５６ａに嵌まり込んだ突起２１４ａが形成されている。また、固定部材２１４には、ＬＥＤ光源から出射された光を原稿に導く導光体２１６と、原稿からの反射光を通すセルフォックスレンズアレイ２１８と、ＣＣＤ素子２１２が実装された基板２１９とが固定されている。また、固定部材２１４には、原稿台ガラス６１に接触したスペーサ部材２２０が固定されている。このスペーサ部材２２０は、固定部材２１４のうち、副走査方向（矢印Ａ，Ｂ方向）に直交する主走査方向（固定部材２１４の長手方向）の両端部にそれぞれ固定されている。スペーサ部材２２０の詳細について、図５を参照して説明する。
【００４０】
図５は、スペーサ部材の第１例を示す斜視図である。
【００４１】
スペーサ部材２２０は、コイルばね２５８の付勢力によって原稿台ガラス６１に押し付けられることにより、原稿台ガラス６１に載置された原稿からＣＣＤ素子２１２までの間隔を一定間隔に保つためのものである。セルフォックスレンズアレイ２１８の焦点深度は浅いので、この間隔が変動した場合は画像ボケの原因となる。このため、スペーサ部材２２０には耐摩耗性が要求される。
【００４２】
固定部材２１４の長手方向両端部には、スペーサ部材２２０が１つずつ固定されている。各スペーサ部材２２０は、矢印Ａ，Ｂ方向（副走査方向）に延びるベース板２２２と、ベース板２２２の上面のうち長手方向（矢印Ａ，Ｂ方向）両端部にそれぞれ形成された樹脂製の接触部２２４と、ベース板２２２の下面のうち長手方向両端部（接触部２２４の下）に形成された脚部２２６とから構成されている。脚部２２６は、図４に示すように、固定部材２１４に形成された凹部に差し込まれており、これにより、スペーサ部材２２０が固定部材２１４に固定されている。
【００４３】
接触部２２４は、円柱を高さ方向に切断して半分にした半円柱状であり、円柱の高さ方向が矢印Ａ，Ｂ方向に一致するように切断面がベース板２２２に接触している。接触部２２４の外周面のうち最も高い位置に形成された線分２２４ａが原稿台ガラス６１に対して副走査方向に線接触する。平面走査装置２００（図４参照）の固定部材２１４は矢印Ａ，Ｂ方向（副走査方向）に移動するので、線分２２４ａは原稿台ガラス６１に副走査方向に線接触しながら線分２２４ａの長手方向（矢印Ａ，Ｂ方向）に摺動する。
【００４４】
このように、スペーサ部材２２０が原稿台ガラス６１に線接触しながら摺動するので、原稿台ガラス６１に面接触するスペーサ部材に比べて摺動面積が狭い。このため、原稿台ガラス６１のうちスペーサ部材２２０が接触する面（接触面）の粗さのばらつきや、この接触面に付着しているごみなどの影響を受けにくい。この結果、長期間が経過してもＣＣＤ素子２１２と原稿台ガラス６１とが一定間隔に正確に保たれる。また、スペーサ部材２２０や固定部材２１４が外部から振動を受けたときには、スペーサ部材２２０が原稿台ガラス６１に線接触しているので、スペーサ部材２２０と原稿台ガラス６１との摩擦力によってスペーサ部材２２０は振動しにくい。従って、ＣＣＤ素子２１２と原稿台ガラス６１とが一定間隔に正確に保たれる。一方、原稿台ガラス６１に点接触するスペーサ部材に比べて摺動面積が広いので、スペーサ部材２２０に作用する圧力が減少する。このため、スペーサ部材２２０が摩耗しにくい。この結果、ＣＣＤ素子２１２と原稿台ガラス６１とが一定間隔に正確に保たれる。
【００４５】
図６を参照して、スペーサ部材の第２例を説明する。
【００４６】
図６は、スペーサ部材の第２例を示す斜視図である。
【００４７】
スペーサ部材３２０は、矢印Ａ，Ｂ方向に延びるベース板３２２と、ベース板３２２の上面のうち長手方向（矢印Ａ，Ｂ方向）両端部にそれぞれ形成された樹脂製の接触部３２４と、ベース板３２２の下面のうち長手方向両端部（接触部３２４の下）に形成された脚部３２６とから構成されている。脚部３２６は、図４に示すように、固定部材２１４に形成された凹部に差し込まれており、これにより、スペーサ部材３２０が固定部材２１４に固定されている。
【００４８】
接触部３２４は、円柱を高さ方向に切断して半分にした半円柱状であり、円柱の高さ方向が矢印Ａ，Ｂ方向（副走査方向）に直交するように切断面がベース板３２２に接触している。接触部３２４の外周面のうち最も高い位置に形成された線分３２４ａが原稿台ガラス６１に線接触する。平面走査装置２００（図４参照）の固定部材２１４は矢印Ａ，Ｂ方向（副走査方向）に走査するので、線分３２４ａは原稿台ガラス６１に対して主走査方向に線接触しながら線分３２４ａに直交する副走査方向に摺動する。このようなスペーサ部材３２０もスペーサ部材２２０（図５参照）と同様の効果を奏する。
【００４９】
図７から図９までを参照して、スペーサ部材の第３例を説明する。
【００５０】
図７は、スペーサ部材の第３例を示す斜視図である。図８は、図７のスペーサ部材を固定部材に固定するときの配置を示す上視図である。図９は、図８とは異なる配置を示す上視図である。
【００５１】
スペーサ部材４２０は、矢印Ａ，Ｂ方向に延びるベース板４２２と、ベース板４２２の上面のうち長手方向（矢印Ａ，Ｂ方向）両端部にそれぞれ形成された樹脂製の接触部４２４と、ベース板４２２の下面のうち長手方向両端部（接触部４２４の下）に形成された脚部４２６とから構成されている。脚部４２６は、図４に示すように、固定部材２１４に形成された凹部に差し込まれており、これにより、スペーサ部材４２０が固定部材２１４に固定されている。
【００５２】
接触部４２４は、円柱を高さ方向に切断して半分にした半円柱状であり、円柱の高さ方向が矢印Ａ，Ｂ方向に約４５°傾斜するように切断面がベース板４２２に接触している。接触部４２４の外周面のうち最も高い位置に形成された線分４２４ａが原稿台ガラス６１に線接触する。平面走査装置２００（図４参照）の固定部材２１４は矢印Ａ，Ｂ方向（副走査方向）に移動するので、線分４２４ａは原稿台ガラス６１に線接触しながら線分４２４ａに約４５°傾斜した方向に摺動する。このようなスペーサ部材４２０もスペーサ部材２２０（図５参照）と同様の効果を奏する。
【００５３】
ここで、スペーサ部材４２０を、図８に示すように、固定部材２１４に固定した場合について検討する。ここでは、固定部材２１４の長手方向両端部それぞれにスペーサ部材４２０を固定した。また、スペーサ部材４２０の線分４２４ａが矢印Ａ，Ｂ方向に対して約４５°だけ同じ方向に傾斜している。このように２つのスペーサ部材４２０を固定部材２１４に固定した場合、固定部材２１４が矢印Ｂ方向に走査することにより接触部４２４も原稿台ガラス６１を矢印Ｂ方向に摺動するので、接触部４２４には、矢印Ｅ方向と矢印Ｆ方向の摩擦力が生じる。
【００５４】
矢印Ｆ方向の摩擦力は、固定部材２１４と共に走査ユニット２５０を、矢印Ｂ方向に直交する方向であって原稿台ガラス６１に平行な方向に押し付ける力となる。従って、上記の方向とは反対方向の振動が外部から固定部材２１４や走査ユニット２５０に作用しても、これらは振動しにくく、矢印Ｂ方向に安定して移動する。
【００５５】
ここで、スペーサ部材４２０を、図９に示すように、固定部材２１４に固定した場合について検討する。ここでは、固定部材２１４の長手方向両端部それぞれにスペーサ部材４２０を固定した。また、スペーサ部材４２０の線分４２４ａが矢印Ａ，Ｂ方向に対して約４５°だけ互いに反対方向に傾斜している。このように２つのスペーサ部材４２０を固定部材２１４に固定した場合、固定部材２１４が矢印Ｂ方向に走査することにより接触部４２４も原稿台ガラス６１を矢印Ｂ方向に摺動するので、図９における上のスペーサ部材４２０の接触部４２４には、矢印Ｅ方向及び矢印Ｆ方向の摩擦力が生じ、図９における下のスペーサ部材４２０の接触部４２４には、矢印Ｅ方向及び矢印Ｇ方向の摩擦力が生じる。
【００５６】
矢印Ｆ方向の摩擦力は、固定部材２１４と共に走査ユニット２５０を、矢印Ｂ方向に直交する方向であって原稿台ガラス６１に平行な方向に押し付ける力となり、これに対し、矢印Ｇ方向の摩擦力は、矢印Ｆ方向の力とは反対方向に作用する力となる。従って、矢印Ｆ方向及び矢印Ｇ方向の振動が外部から固定部材２１４や走査ユニット２５０に作用しても、これらは振動しにくく、矢印Ｂ方向に安定して移動する。
【００５７】
図１０と図１１を参照してスペーサ部材の第４例を説明する。
【００５８】
図１０は、スペーサ部材の第４例を示す斜視図である。図１１は、図１０のスペーサ部材を固定部材に固定するときの配置を示す上視図である。
【００５９】
スペーサ部材５２０は、矢印Ａ，Ｂ方向に延びるベース板５２２と、ベース板５２２の上面のうち長手方向（矢印Ａ，Ｂ方向）両端部にそれぞれ形成された樹脂製の接触部５２４と、ベース板５２２の下面のうち長手方向両端部（接触部５２４の下）に形成された脚部５２６とから構成されている。脚部５２６は、図４に示すように、固定部材２１４に形成された凹部に差し込まれており、これにより、スペーサ部材５２０が固定部材２１４に固定されている。
【００６０】
接触部５２４は、円柱を高さ方向に切断して半分にした半円柱状であり、円柱の高さ方向が矢印Ａ，Ｂ方向に約４５°傾斜するように切断面がベース板５２２に接触している。また、２つの接触部５２４は互いに「ハ」の字になるように形成されている。接触部５２４の外周面のうち最も高い位置に形成された線分５２４ａが原稿台ガラス６１に線接触する。平面走査装置２００（図４参照）は矢印Ａ，Ｂ方向に走査するので、線分５２４ａは原稿台ガラス６１に線接触しながら線分５２４ａに約４５°傾斜した方向に摺動する。このようなスペーサ部材５２０もスペーサ部材２２０（図５参照）と同様の効果を奏する。
【００６１】
ここで、スペーサ部材５２０を、図１１に示すように、固定部材２１４に固定した場合について検討する。ここでは、固定部材２１４の長手方向両端部それぞれにスペーサ部材５２０を固定した。また、スペーサ部材５２０の線分５２４ａが矢印Ａ，Ｂ方向に対して約４５°だけ互いに反対方向に傾斜している。このように２つのスペーサ部材５２０を固定部材２１４に固定した場合、固定部材２１４が矢印Ｂ方向に走査することにより接触部５２４も原稿台ガラス６１を矢印Ｂ方向に摺動するので、図１１に示すように、２つのスペーサ部材５２０の接触部５２４には、矢印Ｅ方向，矢印Ｆ方向，矢印Ｇ方向の摩擦力が生じる。
【００６２】
矢印Ｆ方向の摩擦力は、固定部材２１４と共に走査ユニット２５０を、矢印Ｂ方向に直交する方向であって原稿台ガラス６１に平行な方向に押し付ける力となり、これに対し、矢印Ｇ方向の摩擦力は、矢印Ｆ方向の力とは反対方向に作用する力となる。従って、矢印Ｆ方向及び矢印Ｇ方向の振動が外部から固定部材２１４や走査ユニット２５０に作用しても、これらは振動しにくく、矢印Ｂ方向に安定して移動する。
【００６３】
【発明の効果】
以上説明したように本発明の平面走査装置では、スペーサ部材が載置板に線接触しながら摺動するので、載置板に面接触するスペーサ部材に比べて摺動面積が狭い。このため、載置板のうちスペーサ部材が接触する面（接触面）の粗さのばらつきや、この接触面に付着しているごみなどの影響を受けにくい。この結果、繰り返し走査しても読取手段と載置板とが所定間隔に正確に保たれる。また、スペーサ部材や保持部材が外部から振動を受けたときには、スペーサ部材が載置板に線接触しているので、スペーサ部材と載置板との摩擦力によってスペーサ部材は振動しにくい。従って、読取手段と載置板とが所定間隔に正確に保たれる。一方、載置板に点接触するスペーサ部材に比べて摺動面積が広いので、スペーサ部材に作用する圧力が減少する。このため、スペーサ部材が摩耗しにくい。この結果、繰り返し走査しても読取手段と載置板とが所定間隔に正確に保たれる。更に、保持部材が移動する所定方向にスペーサが載置板に線接触するので、スペーサが載置板に接触しながら移動する際の摩擦力に対してスペーサの線接触部分が効果的に抗することができ、スペーサひいては保持部材の姿勢が変動しにくい。このため、読取手段が振動しにくく画像を安定して読み取れる。
【００６４】
ここで、前記スペーサ部材は、略円柱形状であって、その外周面が前記載置板に線接触するものである場合は、簡易な構造のスペーサ部材が得られる。
【００６５】
さらに、前記スペーサ部材は、前記保持部材のうち前記所定方向に直交する方向の両端部それぞれに配置されたものである場合は、スペーサ部材が載置板に安定して線接触するので、繰り返し走査しても読取手段と載置板とが所定間隔にいっそう正確に保たれる。
【００６８】
また、前記スペーサ部材は、前記保持部材のうち前記所定方向に直交する方向の両端部それぞれに配置されたものであって、且つ、前記両端部のうちの一端部に配置された前記スペーサ部材は、前記所定方向に交差する第１交差方向に前記載置板に線接触するものであり、前記両端部のうちの前記一端部とは反対の側の他端部に配置された前記スペーサ部材は、前記第１交差方向に交差する第２交差方向に前記載置板に線接触するものである場合は、スペーサが載置板に接触しながら移動する際の摩擦力に対して一端部と他端部のスペーサ部材によって抗することができ、保持部材の姿勢が変動しにくい。このため、読取手段が振動しにくく画像を安定して読み取れる。
【００６９】
さらにまた、前記読取手段は、コンタクトイメージセンサである場合は、コンタクトイメージセンサの焦点深度は浅いので、スペーサ部材がいっそう有効に働く。
【００７０】
また、本発明の画像形成装置によれば、読取手段と載置板とが所定間隔に正確に保たれるので、原稿の画像を正確に読み取ることができ、歪の無い画像を安定して記録媒体に形成できる。
【図面の簡単な説明】
【図１】本発明の平面走査装置を備えた画像形成装置の内部構造を示す模式図である。
【図２】第１筐体を示す拡大図である。
【図３】原稿圧着板を開いた第１筐体を示す側面図である。
【図４】平面走査装置を示す模式図である。
【図５】スペーサ部材の第１例を示す斜視図である。
【図６】スペーサ部材の第２例を示す斜視図である。
【図７】スペーサ部材の第３例を示す斜視図である。
【図８】図７のスペーサ部材を固定部材に固定するときの配置を示す上視図である。
【図９】図８とは異なる配置を示す上視図である。
【図１０】スペーサ部材の第４例を示す斜視図である。
【図１１】図１０のスペーサ部材を固定部材に固定するときの配置を示す上視図である。
【符号の説明】
５０  デジタル複写機
６１  原稿台ガラス
２００  平面走査装置
２１２  ＣＣＤ素子
２１４  固定部材
２２０，３２０，４２０，５２０  スペーサ部材
２５８  コイルばね
【図１】
0004716471.tif 000002
【図２】
0004716471.tif 000003
【図３】
0004716471.tif 000004
【図４】
0004716471.tif 000005
【図５】
0004716471.tif 000006
【図６】
0004716471.tif 000007
【図７】
0004716471.tif 000008
【図８】
0004716471.tif 000009
【図９】
0004716471.tif 000010
【図１０】
0004716471.tif 000011
【図１１】
0004716471.tif 000012